(57)【要約】【課題】中継基板に対する遊技機本体前方側及び後方側の配線接続作業を容易に行なうことができ、配線収納スペースも確保できる遊技機を提供する。【解決手段】ケース体２４は、中継基板２３に設けられる端子台のうち少なくとも第１端子台２３ａが内枠後方に位置する第１位置と、第１端子台２３ａが第１位置より内枠前方へせり出す第２位置との間を前後方向にガイドされながら移動し、第２位置においてケース体２４がコネクタ接続方向に対して位置規制されている。【選択図】図７
2010233600.tif 000002
【特許請求の範囲】
【請求項１】
遊技機本体に対して前面枠がヒンジ部を中心に開閉可能に軸支された遊技機であって、
前記遊技機本体の前面側に設けられる電気部品と配線接続される第１端子台と、前記遊技機本体の背面側に設けられる電気部品と配線接続される第２端子台が設けられた中継基板と、
前記中継基板を保持するとともに、前記遊技機本体若しくは当該遊技機本体の背面側に組み付けられるベース部に対して移動可能に組み付けられる可動体と、を具備し、
前記可動体は、前記中継基板に設けられる端子台のうち少なくとも前記第１端子台が前記遊技機本体後方寄りに位置する第１位置と、前記第１端子台が前記第１位置より前記遊技機本体前方へせり出す第２位置との間を前後方向にガイドされながら移動し、前記第２位置において前記可動体がコネクタ接続方向に対して位置規制されていることを特徴とする遊技機。
【請求項２】
前記可動体は、前記遊技機本体又は前記ベース部に設けられた装着部の前面に倣って形成された一対のガイド部に回転軸が連繋して組み付けられており、前記回転軸が前記一対のガイド部に沿ってスライドしながら当該回転軸を中心に前記可動体を回転させて、前記可動体の前記回転軸から回転半径が大きい側を遊技機本体前方側へせり出させる請求項１記載の遊技機。
【請求項３】
前記遊技機本体には、前記第２位置にある前記可動体のコネクタ抜き方向への動きを規制する規制部が各々設けられている請求項１又は２記載の遊技機。
【請求項４】
前記可動体とその装着部との対向部には、前記可動体を第１位置で保持する固定手段が設けられている請求項１乃至３のいずれか１項に記載の遊技機。
【請求項５】
前記可動体の前面側に当該可動体を把持する把手部が突設されている請求項１乃至４のいずれか１項記載の遊技機。
【請求項６】
前記第２位置において、前記可動体が前記中継基板の第１端子台が第２端子台より前方にせり出した傾き姿勢で位置規制される請求項１乃至５のいずれか１項記載の遊技機。
【発明の詳細な説明】
【技術分野】
【０００１】
本発明は、遊技機に関する。
【背景技術】
【０００２】
パチンコ機などの遊技機には、遊技機本体に窓部を備えた前面枠が開閉可能に組み付けられている。具体的には、パチンコ機の外形をなす矩形状の外枠に対して内枠が開閉可能に組み付けられ、該内枠を含む遊技機本体に対して前面枠が上下ヒンジ部を中心に開閉可能に支持されている。
【０００３】
遊技機本体の前面側に設けられる電気部品、例えば前面枠には装飾部としてランプ、スイッチ、スピーカ等の演出部品が組み付けられており、これらは遊技機本体の背面側に設けられる電気部品、例えば制御基板（主制御基板、払出制御基板、画像制御基板等）と配線接続されている。前面枠は遊技機本体に対して開閉可能に組み付けられているため、配線長が長くなり他の部品と干渉するおそれがあり配線収納スペースも必要になることから、遊技機本体前面側に設けられる電気部品と遊技機本体背面側に設けられる電気部品どうしは直接配線接続されずに遊技機本体等に設けられる中継基板を介して配線接続されることが多い。
【０００４】
この中継基板は、配線長を短くするため内枠のヒンジ側近傍に設けられ、前面枠を開放した状態で、例えば遊技機本体前方側の演出部品との配線接続並びに遊技機本体の背面側の制御基板との配線接続が行なわれるため、狭い空間内での接続作業となり、配線接続が行ない難いという課題がある。
【０００５】
このため、中継基板との配線接続作業を行い易くするため、基板ユニットを保持するヒンジ装置によってリールユニットの上部奥側に垂下させて回転可能に取り付けられた可動取付装置が開示されている。この可動取付装置は、基板ユニットと接続ケーブルを接続する際には、基板ユニットをヒンジ装置を中心に結線部分が手前側になるように回転させたままハーネスを差し込んで電気的接続作業が行なえるようになっている（特許文献１参照）。
【０００６】
また、機枠の背面側に設けられた裏機構板に、外部中継基板を収納ボックスに収納して基板設置部材に対して機体の前後方向に回動可能に取り付けた回路基板取付装置が開示されている。収納ボックスは基板設置部材に設けられた凸部と係止して基板設置部材と平行に保持されている。基板側コネクタにケーブル側コネクタを接続する際には、収納ボックスを凸部から外して基板設置部材に対して機枠外側に向くように回動させて接続し、収納ボックスを凸部から外した状態に斜めに配置されている。また、外部中継基板と接続するケーブルに外力（引っ張り力）が作用すると、収納ボックスを回動させて回路基板とケーブルとが平行になるようにすることで、ケーブルにつながる配線部品の損傷を抑制している（特許文献２参照）。
【先行技術文献】
【特許文献】
【０００７】
【特許文献１】特許第３６１６７７６号公報
【特許文献２】特許第４０７９７３４号公報
【発明の概要】
【発明が解決しようとする課題】
【０００８】
上述した特許文献１，２の遊技機においては、中継基板に設けられた端子台に遊技機前方側コネクタ若しくは遊技機後方側コネクタを接続する際に、手作業でヒンジ装置を中心に手前側に基板を回転させた状態で当該基板姿勢を保持しながら配線接続する必要があり、コネクタの接続作業が容易ではなくコネクタの接続が確実とはいえない。特に中継基板は配線長を短くするため、前面枠のヒンジ側近傍に設けられることが多く、狭い作業空間で作業を強いられることがあるため、作業性が低下する。
特に中継基板は、遊技機本体の後方に配置されていると遊技機本体前面側の配線接続作業が行ない難く、遊技機本体の前方に配置されていると、遊技機本体前面側の配線を収納する領域が失われる。
【０００９】
本発明の目的は、上記従来技術の課題を解決し、中継基板に対する遊技機本体前方側及び後方側の配線接続作業を容易に行なうことができ、配線収納スペースも確保できる遊技機を提供することにある。
【課題を解決するための手段】
【００１０】
本発明は上記目的を達成するため、次の構成を備えることを特徴とする。
遊技機本体に対して前面枠がヒンジ部を中心に開閉可能に軸支された遊技機であって、前記遊技機本体の前面側に設けられる電気部品と配線接続される第１端子台と、前記遊技機本体の背面側に設けられる電気部品と配線接続される第２端子台が設けられた中継基板と、前記中継基板を保持するとともに、前記遊技機本体若しくは当該遊技機本体の背面側に組み付けられるベース部に対して移動可能に組み付けられる可動体と、を具備し、前記可動体は、前記中継基板に設けられる端子台のうち少なくとも前記第１端子台が前記遊技機本体後方寄りに位置する第１位置と、前記第１端子台が前記第１位置より前記遊技機本体前方側へせり出す第２位置との間を前後方向にガイドされながら移動し、前記第２位置において前記可動体がコネクタ接続方向に対して位置規制されていることを特徴とする。
ここで、遊技機本体とは、遊技機前面を覆う窓部が形成された前面枠を除く部位、例えば外枠、内枠、遊技盤などを含む部位をいうものとする。また、移動とは、直線移動、回転移動、又はそれらの組み合わせなどの様々な態様を含むものとする。
【００１１】
また、前記可動体は、前記遊技機本体又は前記ベース部に設けられた装着部の前面に倣って形成された一対のガイド部に回転軸が連繋して組み付けられており、前記回転軸が前記一対のガイド部に沿ってスライドしながら当該回転軸を中心に前記可動体を回転させて、前記可動体の前記回転軸から回転半径が大きい側を遊技機本体前方側へせり出させることを特徴とする。
【００１２】
また、前記遊技機本体には、前記第２位置にある前記可動体のコネクタ抜き方向への動きを規制する規制部が各々設けられていることを特徴とする。
【００１３】
また、前記可動体とその装着部との対向部には、前記可動体を第１位置で保持する固定手段が設けられていることを特徴とする。
【００１４】
また、前記可動体の前面側に当該可動体を把持する把手部が突設されていることを特徴とする。
【００１５】
また、前記第２位置において、前記可動体が前記中継基板の第１端子台が第２端子台より前方にせり出した傾き姿勢で位置規制されることを特徴とする。
【発明の効果】
【００１６】
上述した遊技機を用いれば、中継基板の第１，第２端子台に遊技機本体前面側及び背面側の配線接続を行なう際に、可動体は、第１端子台が遊技機本体後方寄りに位置する第１位置と、第１端子台が第１位置より遊技機本体前方へせり出す第２位置との間を前後方向にガイドされながら移動し、第２位置において可動体がコネクタ接続方向に対して位置規制されている。これにより、可動体に保持された中継基板の第１，第２端子台を作業者が視認し易くなり、比較的広い作業空間を利用して遊技機本体前面側及び背面側の配線接続作業を行なうことができる。また、第２位置において可動体がコネクタ接続方向に対して位置規制されているため、可動体（中継基板）を手で押さえなくてもコネクタの接続作業が行なえるので作業性も向上する。また、第２位置において配線接続された可動体を再度第１位置へ戻すことにより、前面枠を遊技機本体に閉じた場合でも、当該前面枠と遊技機本体の間に接続配線の収納スペースを確保することができる。
【００１７】
また、可動体は、遊技機本体又はベース部に設けられた装着部の前面に倣って形成された一対のガイド部に回転軸が連繋して組み付けられており、回転軸が一対のガイド部に沿ってスライドしながら当該回転軸を中心に可動体を回転させて、可動体の回転軸から回転半径が大きい側が前後方向にガイドされながら前方へ移動する。
よって、可動体を移動させる際に、遊技機本体又はベース部に設けられた装着部の前面に倣って形成された一対のガイド部に回転軸が連繋したままスライドするので、可動体をスムーズにスライドさせることができる。また、回転軸をスライドさせながら当該回転軸を中心に可動体を回転させるので、第２位置において可動体を前後方向若しくは左右方向のいずれかに遊技機本体前方側にせり出させて中継基板の第１，第２端子台の前方に広い作業空間を作り出すことができる。
【００１８】
また、遊技機本体には、第２位置にある可動体のコネクタ抜き方向への動きを規制する規制部が各々設けられているので、第２位置において可動体は、コネクタ抜き方向への動きが規制部により規制され、コネクタ接続方向に対しても位置規制されているため、中継基板の第１，第２端子台に対する遊技機本体前面側及び背面側からの接続配線のコネクタを安定した状態で抜き差しすることができる。
【００１９】
また、可動体とその装着部との対向部には、可動体を第１位置で保持する固定手段が設けられていると、第２位置に位置規制された中継基板に遊技機本体前面側及び背面側からの接続配線のコネクタを抜き差しするとき以外は可動体を第１位置へスライドさせて固定手段により固定することにより、可動体の前方の空いたスペースに遊技機本体前面側の配線収納領域を確保することができる。
【００２０】
また、可動体の前面側に当該可動体を把持する把手部が突設されていると、作業者が可動体のスライド操作を行ない易く操作性が向上するうえに、把持部は遊技機本体前面側の接続配線を束ねる配線ガイドとしても利用できる。
【００２１】
また、第２位置において、可動体が中継基板の第１端子台が第２端子台より前方にせり出した傾き姿勢で位置規制されるので、作業者は中継基板の端子台が視認し易くかつコネクタの抜き差し作業がし易くなるほか、可動体を第２位置より第１位置へ戻す作業も容易に行なえる。
【図面の簡単な説明】
【００２２】
【図１】パチンコ機の正面図である。
【図２】前面枠を遊技機本体から開放した状態の斜視図である。
【図３】パチンコ機の背面図である。
【図４】可動体が第１位置に保持されたベース部材の要部斜視図及び要部縦断面図である。
【図５】可動体が第２位置に保持されたベース部材の要部斜視図及び要部縦断面図である。
【図６】可動体を保持機構に装着前後の状態を示す要部水平断面図である。
【図７】可動体をベース部材に取り付ける前の要部斜視図である。
【図８】他例に係る可動体のベース部材に対する組み付け例を示す要部水平断面図である。
【図９】他例に係る可動体をベース部材に組み付ける前と可動体を保持したベース部材を遊技機本体へ組み付けた状態の要部縦断面図である。
【発明を実施するための形態】
【００２３】
以下、本発明の実施形態について図面を参照しながら具体的に説明する。
図１乃至図３を参照して本実施形態に係る遊技機の概略構成について説明する。本実施例としては、遊技機の一例としてパチンコ機について説明するものとする。
【００２４】
先ずパチンコ機１の概略構成について説明する。図１において、パチンコ機１の外形をなす矩形状の外枠２の側部に対して上下ヒンジ部（図示せず）により内枠３（図２参照）が開閉可能に取り付けられ、該内枠３の側部に対して上下ヒンジ部４ａ，４ｂにより前面枠（ガラス枠）５が開閉可能に取り付けられている。
【００２５】
図２において、内枠３の前面側には遊技盤６が組み付けられている。また遊技盤６の下方には遊技領域へ向かって遊技球を発射する球発射装置７が組み付けられている。また、図１に示すように遊技盤６には、ガイドレール１１によって全体として円形の遊技領域が形成され、その遊技領域には図柄表示装置（液晶表示装置）８、電動チューリップ９，アタッカー１０などの入賞装置等が設けられている。
【００２６】
また、図１において、前面枠５の下方には貸球や賞球等の遊技球を一時的に貯留し、該遊技球を球発射装置７（図２参照）へ誘導する球受け皿１２が組み付けられている。球受け皿１２の前面には貯留した遊技球を図示しないドル箱に排出させるためシャッターを開閉する球抜きレバー１２ａが設けられている。球受け皿１２の右側には、球発射装置７によって遊技領域へ発射される遊技球の発射力を調節するための発射ハンドル１３が設けられている。
【００２７】
図３において、内枠３の背面側上部には貯留タンク１４が設けられ、貯留タンク１４にはパチンコ機１が配置されたホールの島から遊技球が供給される。内枠３の背面側は盤裏カバー１８に覆われており、その上下ヒンジ部４ａ，４ｂ側の側部には貯留タンク１４に接続する球通路１５や入賞等に応じて遊技球を球受け皿１２へ払い出す球払出装置１６が設けられている。また、盤裏カバー１８の下側には、内枠３の背面側に設けられる電気部品、例えば、画像処理基板や主制御基板、発射制御基板２０、払出制御基板２１等がケースに各々収納されて組み付けられている。
尚、上述した制御基板のうちいくつかは、ベース部１７に取り付けられており、該ベース部１７を介して内枠３の背面側に組み付けられている。また、ベース部１７の前面側には、内枠３の前面側に設けられる電気部品と同背面側に設けられる電気部品との配線接続を中継する中継基板２３が装着される装着部２５（図５（ａ）参照）が設けられている。尚、装着部２５は、ベース部１７の前面に限らず、パチンコ機本体（内枠３）の一部に設けられていてもよい。ここで、パチンコ機本体とは、パチンコ機前面を覆う窓部５ａ（図１参照）が形成された前面枠５を除く部位、例えば外枠２、内枠３、遊技盤６などを含む部位をいうものとする。
【００２８】
次に、中継基板２３の組み付け構造について図２及び図４乃至図７を参照して説明する。図２において、中継基板２３は、筐体状のケース体２４（可動体）に収納されてベース部１７と共に内枠３の背面側に組み付けられている。中継基板２３は、配線長を短くするため、下ヒンジ部４ｂ（図１参照）の近傍に配置されている。尚、中継基板２３は、配線長を考慮するとパチンコ機本体（内枠３）の上下ヒンジ部４ａ，４ｂ側にあるのが好ましい。中継基板２３は、内枠３の前方に設けられるランプ、スイッチ、スピーカ等の演出部品や発射ハンドル１３に設けられるスイッチ、センサなどの電気部品と、内枠３の背面側に設けられる電気部品（各種制御基板）との間で各々配線接続される。
【００２９】
図４（ａ）において、ケース体２４は内枠３の背面側に設けられるベース部１７の前面側であって、下ヒンジ部４ｂ側近傍に設けられた装着部２５にスライド可能に設けられている。具体的には、ケース体２４は、中継基板２３に設けられる端子台のうち第１端子台２３ａが相対的にベース部１７に近接した第１位置（図４（ｂ）参照）と、第１位置から第１端子台２３ａがベース部１７より離間して相対的に前方へせり出す第２位置（図５（ｂ）参照）との間をスライド可能に設けられている。中継基板２３には、前面枠５に設けられる演出部品等と配線接続される前方側コネクタが差し込まれる第１端子台２３ａが基板実装されている。また、中継基板２３には、ベース部１７側の制御基板と配線接続される後方側コネクタ３１（図４（ａ）参照）が差し込まれる第２端子台２３ｂ（図７参照）が基板実装されている。
【００３０】
図７において、ケース体２４は、中継基板２３を支持するケース本体２４ａと中継基板２３に重ね合わせて組み付けられる蓋体２４ｂが嵌め合うことで構成される。ケース本体２４ａの両側にはベース部１７に沿ってスライドする第１ガイドピン２４ｃと、ベース部１７より斜め前方に向けてスライドする第２ガイドピン２４ｄが各々突設されている。また、ベース部１７の前面側に設けられた装着部２５には左右両側に一対のガイド壁２６が起立形成されている。これら各ガイド壁２６には、第１ガイドピン２４ｃが係合したまま装着部２５に倣ってスライドする第１ガイド部（ガイド溝）２６ａと、第２ガイドピン２４ｄが係合したまま装着部２５より前方へ向ってスライドする第２ガイド部（ガイド溝）２６ｂが各々設けられている。
【００３１】
すなわち、ケース体２４は、ベース部１７に設けられた装着部２５の前面に倣って形成された一対のガイド壁２６の第１ガイド部２６ａに回転軸として第１ガイドピン２４ｃが連繋して組み付けられている。この第１ガイドピン（回転軸）２４ｃが第１ガイド部２６ａに沿ってスライドしながら第１ガイドピン（回転軸）２４ｃを中心にケース体２４自身を回転させて、当該ケース体２４の第１ガイドピン（回転軸）２４ｃから回転半径が大きい側である第２ガイドピン２４ｃが第２ガイド部２６ｂ及び連結ガイド部２７（後述する）に沿ってスライドすることで、ケース体２４が遊技機本体（内枠３）前方側へせり出すようになっている。
【００３２】
図４（ａ）に示すように、蓋体２４ｂには中継基板２３の第１端子台２３ａが視認可能な窓部２４ｆが設けられている。また、蓋体２４ｂ及びケース本体２４ａの上側面には開口部２４ｇが設けられており、該開口部２４ｇから第２端子台２３ｂ（図７参照）が視認可能に設けられている。第２端子台２３ｂには、ケース体２４を装着部２５に装着する際に後方側配線３０に設けられた後方側コネクタ３１が接続されていてもよい。更には、蓋体２４ｂの前面側にはＬ字状の把手部２４ｈが突設されている。作業者は、ケース体２４を第１位置と第２位置との間で移動させる際に把手部２４ｈを把持しながら作業が行なえるので操作性がよい。また、把手部２４ｈと蓋体２４ｂとの隙間は前方側配線３２（図２参照）を引き回す際のガイドとして使用することができる。
【００３３】
また、図４（ａ）（ｂ）に示すように、内枠３の開口部３ａの底部３ｂには、第３ガイド部２８がガイド壁２６に対応した位置に各々設けられている。各第３ガイド部２８には、第２ガイド部２６ｂと連続する連結ガイド部（連続溝）２７が設けられ、該連結ガイド部２７の前端部には、第２ガイドピン２４ｄのコネクタ接続方向への動きを規制する規制部２８ａが各々設けられている。
【００３４】
また、図６（ｂ）に示すように装着部２５にはプッシュラッチ２９（固定手段）が設けられている。プッシュラッチ２９は筒状のラッチ本体２９ｂに対して、先端にロック部２９ｃが形成された複数の弾性片２９ａを有する可動部２９ｄが進退動可能に収納されている。可動部２９ｄは、ラッチ本体２９ｂの開口部より外方へ常時突出するように付勢されており、弾性片２９ａどうしは先端側のロック部２９ｃが開放された状態にある。また、図６（ｂ）に示すようにケース本体２４ａの背面側にはプッシュラッチ２９に対向部に突起（ストライカー）２４ｅが突設されている。
【００３５】
図４（ａ）（ｂ）において、ケース体２４は、第１ガイドピン２４ｃを両側の第１ガイド部２６ａに各々挿入され、第２ガイドピン２４ｄを両側の第２ガイド部２６ｂに各々挿入されて装着部２５に装着される。このとき、図６（ａ）に示すように、突起２４ｅが可動部２９ｄをラッチ本体２９ｂ内へ押し込みながら当該ラッチ本体２９ｂ内の係止部と係止する。このとき弾性片２９ａはラッチ本体２９ｂ内に引き込まれる際に先端のロック部２９ｃどうしが近接するようにすぼまって突起２４ｅのくびれ部が挟み込まれてロックされる。また、再度突起２４ｅを押し込むと、可動部２９ｄとラッチ本体２９ｂとの係止状態が解除されて可動部２９ｄがラッチ本体２９ｂの外部へ突出することで弾性片２９ａが開放されてロック部２９ｃと突起２４ｅとのロック状態が開放されるようになっている（図６（ｂ）参照）。
【００３６】
ここで、ケース体２４の作動説明を、ケース体２４に保持された中継基板２３への配線接続作業とともに説明する。図４（ａ）において、ケース体２４は、ベース部１７の前面に設けられた装着部２５に装着されたまま、内枠３の背面側より組み付けられている。ケース体２４は、図６（ａ）に示すプッシュラッチ２９（図６（ａ）参照）によりベース部１７に沿った第１位置に保持されている（図４（ｂ）参照）。尚、ベース部１７の背面側（払出制御基板２１）から引き出された出力側配線３０に設けられた出力側コネクタ３１を、予め開口部２４ｇを通じて第２端子台２３ｂ（図７参照）と接続しておいてもよい。
【００３７】
次に、前面枠５を内枠３より開放した状態で、作業者はケース体２４を背面側に向けて一旦押し込むことでプッシュラッチ２９と突起２４ｅのロック状態を解除する（図６（ｂ）参照）。そして、蓋体２４ｂの把手部２４ｈを把持して、手前側に引っ張ると、図５（ａ）（ｂ）に示すように、第１ガイドピン２４ｃが第１ガイド部２６ａに沿って上方から下方に向ってスライドし、第２ガイドピン２４ｄが第２ガイド部２６ｂに沿って当該第２ガイド部２６ｂから連結ガイド部２７に向って各々スライドする。
【００３８】
そして、第１ガイドピン２４ｃが第１ガイド部２６ａの下方端、第２ガイドピン２４ｄが連結ガイド部２７の前端部に設けられた規制部２８ａに各々係止することで位置規制される。ケース体２４は、第２位置において中継基板２３の第１端子台２３ａが第２端子台２３ｂに比べてベース部１７より離間して前方へせり出した傾斜姿勢で保持される（図５（ｂ）参照）。なお、ケース体２４の第２位置における傾斜姿勢は、中継基板２３（ケース体２４）の大きさや、第１ガイド部２６ａの長さ、及び連結ガイド部２７の長さによって調節することができ、完全に倒伏した姿勢（ベース部１７に対して起立した姿勢）とすることも可能である。
【００３９】
この状態で、蓋体２４ｂの窓部２４ｆより視認できる中継基板２３の第１端子台２３ａとその前方に広がる作業空間を利用して前面枠５側の演出部品と接続する前方側配線３２（図２参照）に設けられた前方側コネクタ（図示せず）を接続する。また、開口部２４ｇより出力側配線３０に設けられた出力側コネクタ３１を第２端子台２３ｂ（図７参照）と接続する。
よって、第２位置において中継基板２３は、第２ガイドピン２４ｄがコネクタ抜き方向には規制部２８ａ、コネクタ差し込み方向には連結ガイド部２７に当接して位置規制されているので（図５（ｂ）参照、内枠前面側及び内枠背面側の接続配線のコネクタを安定した状態で抜き差しすることができる。
【００４０】
尚、中継基板２３への配線接続が終了すると、作業者は蓋体２４ｂの把手部２４ｈを把持してケース体２４をベース部１７に向かって押し戻す。このとき、第１ガイドピン２４ｃが第１ガイド部２６ａに沿って下方から上方に向ってスライドし、第２ガイドピン２４ｄが連結ガイド部２７から第２ガイド部２６ｂに向って各々スライドする。そして、ケース体２４が装着部２５においてベース部１７に沿った状態で押し込むと、突起２４ｅがプッシュラッチ２９（図６（ａ）参照）とロックして第１位置で保持される（図４（ａ）（ｂ）参照）。
【００４１】
以上のように、内枠３の前面側及び背面側の配線接続を行なう際に、ケース体２４を第１位置から第２位置へ移動させることにより、ケース体２４に保持された中継基板２３の第１，第２端子台２３ａ，２３ｂを作業者が視認し易くなり、比較的広い作業空間を利用して前方側及び後方側の配線接続作業を行なうことができ作業性も向上する。また、ケース体２４は第２位置においてコネクタ接続方向に位置規制されているため、ケース体２４（中継基板２３）を手で押さえなくてもコネクタの接続作業が行なえるので作業性も向上する。また、第２位置において配線接続されたケース体２４を再度第１位置へ戻すことにより、ケース体２４の前方の空いたスペースに内枠前面側の配線収納領域を確保することができる。
【００４２】
また、ケース体２４に設けた第１，第２ガイドピン２４ｃ，２４ｄが装着部２５に設けられた第１，第２ガイド部２６ａ，２６ｂと係合したまま第１位置と第２位置との間をスライドするので、ケース体２４をスムーズにスライドさせることができ操作性が良く、第２位置においてケース体２４を傾斜姿勢で保持して中継基板２３の第１，第２端子台２３ａ，２３ｂに対して広い作業空間を提供することができる。
【００４３】
次に、中継基板２３の組み付け構造の他例について図８及び図９を参照して説明する。上記実施例と同一部材には同一番号を付して説明を援用するものとする。
上記実施例は、第２ガイド部２６ｂと第３ガイド部２８とが連続溝となる連結ガイド部２７により接続されていた。これに対して、図９（ａ）（ｂ）に示すように、第３ガイド部２８には第２ガイド部２６ｂと連続する長孔よりなる連結ガイド部２７が形成されていてもよい。
【００４４】
図９（ａ）において、第１，第２ガイド部２６ａ，２６ｂに第１，第２ガイドピン２４ｃ，２４ｄが嵌め込まれて装着部２５にケース体２４が装着されたまま、ベース部１７が内枠３の背面側に組み付けられると、図９（ｂ）に示すように、第２ガイド部２６ｂと第３ガイド部２８が連続する長孔よりなる連結ガイド部２７が形成されるようになっている。
ケース体２４を第１位置から第２位置へスライドさせると第２ガイドピン２６ｂが孔端となる規制部２８ａに係止して位置規制され、中継基板２３の第１端子台２３ａが第２端子台２３ｂよりベース部１７から離間して前方へせり出した傾き姿勢で保持される。
【００４５】
上記実施例では、第２位置において、ケース体２４の下縁部に相当する第２ガイドピン２４ｄが内枠３の前方側にせり出して、中継基板２３の第１端子台２３ａが第２端子台２３ｂより前方にせり出した傾き姿勢で保持されるようになっていた。
これに対して、図８に示すように、第２位置においてケース体２４の上下ヒンジ部４ａ，４ｂ側の側縁部が内枠３の前方側に変位して、中継基板２３の第１端子台２３ａが第２端子台２３ｂより前方にせり出した傾き姿勢で保持されるようにしてもよい。これによれば、第２位置において中継基板２３（第１端子台２３ａ）が前面枠５の開放側に対して対峙する形で傾斜配置されるため、一層コネクタの抜き差しが行ない易くなる。
【００４６】
図８において、ベース部１７の前面側に設けられた装着部２５には上下一対のガイド壁２６が起立形成されている。これら各ガイド壁２６には、第１ガイドピン２４ｃが係合したまま装着部２５に倣って左右方向へスライドする第１ガイド部２６ａと、第２ガイドピン２４ｄが係合したまま装着部２５より前方へスライドする第２ガイド部２６ｂが各々設けられている。
【００４７】
内枠３の開口部３ａの上下ヒンジ部４ａ，４ｂ側の側部３ｃには、第３ガイド部２８がガイド壁２６に対応した位置に各々設けられている。第３ガイド部２８には、第２ガイド部２６ｂと連続する長孔よりなる連結ガイド部２７が設けられ、該連結ガイド部２７の前端部には、第２ガイドピン２４ｄの動きを規制する規制部２８ａが各々設けられている。また、装着部２５にはプッシュラッチ２９（固定手段）が設けられ、ケース本体２４ａの対向部には突起２４ｅが設けられている（図６（ａ）（ｂ）参照）。
【００４８】
ケース体２４は、第１ガイドピン２４ｃを両側の第１ガイド部２６ａに各々挿入され、第２ガイドピン２４ｄを両側の第２ガイド部２６ｂに各々挿入されて装着部２５に装着される。ケース体２４は、中継基板２３の第１端子台２３ａがベース部１７に近接した第１位置に保持されている。蓋体２４ｂには中継基板２３の第１端子台２３ａが視認可能な窓部２４ｆが設けられている（図４（ａ）参照）。また、蓋体２４ｂ及びケース本体２４ａの右側面には開口部２４ｇが設けられており、該開口部２４ｇから第２端子台２３ｂ（図７参照）が視認可能に設けられている（図４（ａ）参照）。第２端子台２３ｂには、ケース体２４を装着部２５に装着する際に後方側配線３０に設けられた後方側コネクタ３１（図４（ａ）参照）が接続されていてもよい。
【００４９】
尚、ベース部１７の背面側（払出制御基板２１）から引き出された後方側配線３０に設けられた後方側コネクタ３１を、予め開口部２４ｇを通じて第２端子台２３ｂ（図７参照）と接続しておいてもよい。
【００５０】
次に、図８において、前面枠５を内枠３より開放した状態で、作業者はケース体２４を背面側に向けて一旦押し込むことでプッシュラッチ２９と突起２４ｅのロック状態を解除する。そして、蓋体２４ｂの把手部２４ｈを把持して、手前側に引っ張ると、第１ガイドピン２４ｃが第１ガイド部２６ａに沿って右側から左側に向ってスライドし、第２ガイドピン２４ｄが第２ガイド部２６ｂに沿って第２ガイド部２６ｂから連結溝２７に向って各々スライドする。
そして、第１ガイドピン２４ｃが第１ガイド部２６ａのヒンジ側溝端、第２ガイドピン２４ｄが連結溝２７の長孔端に設けられた規制部２８ａに係止して位置規制される。ケース体２４は第２位置において上下ヒンジ部４ａ，４ｂ側の側縁部が前方へ変位し、中継基板２３の第１端子台２３ａが第２端子台２３ｂより前方へせり出した傾き姿勢で保持される。
【００５１】
この状態で、蓋体２４ｂの窓部２４ｆより視認できる中継基板２３の第１端子台２３ａと広い作業空間を利用して前面枠５側の演出部品と接続する前方側配線３２（図２参照）に設けられた前方側コネクタ（図示せず）を接続する。また、開口部２４ｇより後方側配線３０に設けられた後方側コネクタ３１を第２端子台２３ｂ（図７参照）と接続する。また、第２位置において配線接続されたケース体２４を再度第１位置へ戻すことにより、ケース体２４の前方の空いたスペースに内枠前面側の配線収納領域を確保することができる。
【００５２】
尚、中継基板２３は必ずしも筐体上のケース体２４に収納される必要はなく、中継基板２３を保持して第１位置と第２位置との間をスライドできる枠体などであってもよい。
また、上述した各実施形態では、ケース体２４に設けられた第２ガイドピン２４ｄが、第２ガイド部２６ｂ、連結ガイド部２７、第３ガイド部２８にガイドされて内枠３の前方へスライドするように構成されていたが、第２ガイドピン２４ｄとガイド部に替えて、ケース体２４に設けられたガイド部（回転体、突部等）が対応する溝部やレール部に沿って摺動しながら内枠３の前方へスライドするようになっていてもよい。
【００５３】
また、上述した実施形態は、遊技機の一例としてパチンコ機について説明したが、他の遊技機、例えば雀球遊技機やアレンジボール遊技機などに適用してもよい。
【符号の説明】
【００５４】
１  パチンコ機
２  外枠
３  内枠
３ａ  開口部  
３ｂ  底部  
３ｃ  側部
４ａ  上ヒンジ部
４ｂ  下ヒンジ部
５  前面枠
６  遊技盤
７  球発射装置
８  図柄表示装置  
９  電動チューリップ  
１０  アタッカー  
１１  ガイドレール  
１２  球受け皿  
１２ａ  球抜きレバー  
１３  発射ハンドル  
１４  貯留タンク  
１５  球通路  
１６  球払出装置  
１７  ベース部  
１８  盤裏カバー
２０  発射制御基板  
２１  払出制御基板  
２３  中継基板
２３ａ  第１端子台
２３ｂ  第２端子台
２４  ケース体（可動体）  
２４ａ  ケース本体  
２４ｂ  蓋体  
２４ｃ  第１ガイドピン  
２４ｄ  第２ガイドピン  
２４ｅ  突起  
２４ｆ  窓部  
２４ｇ  開口部  
２４ｈ  把手部  
２５  装着部  
２６  ガイド壁  
２６ａ  第１ガイド部  
２６ｂ  第２ガイド部  
２７  連結ガイド部  
２８  第３ガイド部  
２８ａ  規制部  
２９  プッシュラッチ（固定手段）  
２９ａ  弾性片  
２９ｂ  ラッチ本体
２９ｃ  ロック部  
２９ｄ  可動部  
３０  後方側配線
３１  後方側コネクタ
３２  前方側配線
【図１】
2010233600.tif 000003
【図２】
2010233600.tif 000004
【図３】
2010233600.tif 000005
【図４】
2010233600.tif 000006
【図５】
2010233600.tif 000007
【図６】
2010233600.tif 000008
【図７】
2010233600.tif 000009
【図８】
2010233600.tif 000010
【図９】
2010233600.tif 000011